(57)【要約】    【課題】      ＩＰ網上に設置されたＣＡの負荷を軽減しつつ、莫大なコストを必要としないでＩＰ電話システムの更なる普及を実現すること。    【解決手段】  ＩＰ網を介して音声通話を行うＩＰ電話Ａ１０１（Ｂ１０２）と、ＩＰ電話Ａ１０１のＩＰ網を介した音声通話を管理するＣＡ１０６と、ＩＰ電話Ａ１０１の問合せに応じてＮＡＰＴＲリソースレコードを返送するＥＮＵＭサーバ１０９とを有するＩＰ電話システムにおいて、ＩＰ電話Ａ１０１は、ＩＰ網を介して音声通話を行う際、宛先端末の電話番号に対応するＮＡＰＴＲリソースレコードをＥＮＵＭサーバ１０９に問い合わせ、ＮＡＰＴＲリソースレコードが登録されている場合にはその内容に従ってＩＰ網を介して宛先端末と直接呼制御を行った後に音声通話を行う一方、ＮＡＰＴＲリソースレコードが未登録の場合にはＣＡ１０６を介してＩＰ網により宛先端末と呼制御を行った後に音声通話を行う。  【選択図】      図１
2005303679.tif 000002
【特許請求の範囲】
【請求項１】
ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うことを特徴とするＩＰ電話システム。
【請求項２】
ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うことを特徴とするＩＰ電話システム。
【請求項３】
前記ＩＰ電話装置は、前記ＥＮＵＭサーバに問合せを行ったＮＡＰＴＲリソースレコードが登録され且つ前記宛先端末がＳＩＰプロトコルに対応可能である旨が登録されている場合には当該宛先端末とＩＰ網を介してＳＩＰプロトコルに従って呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うことを特徴とする請求項１又は請求項２記載のＩＰ電話システム。
【請求項４】
前記ＩＰ電話装置は、前記ＥＮＵＭサーバに問合せを行ったＮＡＰＴＲリソースレコードが登録され且つ前記宛先端末がＰＳＴＮ網に対応可能である旨が登録されている場合には当該宛先端末とＰＳＴＮ網を介して呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うことを特徴とする請求項２又は請求項３記載のＩＰ電話システム。
【請求項５】
前記ＥＮＵＭサーバは、インターネットプロバイダが備えることを特徴とする請求項１から請求項４のいずれかに記載のＩＰ電話システム。
【請求項６】
ＩＰ電話装置によるＩＰ網を介した音声通話を管理するＩＰ電話管理サーバ及びＩＰ電話装置の問合せに応じてＮＡＰＴＲリソースレコードを返送するＥＮＵＭサーバに接続されるＩＰ電話装置であって、ＩＰ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うことを特徴とするＩＰ電話装置。
【請求項７】
ＩＰ電話装置によるＩＰ網を介した音声通話を管理するＩＰ電話管理サーバ及びＩＰ電話装置の問合せに応じてＮＡＰＴＲリソースレコードを返送するＥＮＵＭサーバに接続されるＩＰ電話装置であって、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うことを特徴とするＩＰ電話装置。
【請求項８】
前記ＥＮＵＭサーバに問合せを行ったＮＡＰＴＲリソースレコードが登録され且つ前記宛先端末がＳＩＰプロトコルに対応可能である旨が登録されている場合には当該宛先端末とＩＰ網を介してＳＩＰプロトコルに従って呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うことを特徴とする請求項６又は請求項７記載のＩＰ電話装置。
【請求項９】
前記ＥＮＵＭサーバに問合せを行ったＮＡＰＴＲリソースレコードが登録され且つ前記宛先端末がＰＳＴＮ網に対応可能である旨が登録されている場合には当該宛先端末とＰＳＴＮ網を介して呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うことを特徴とする請求項７又は請求項８記載のＩＰ電話装置。
【請求項１０】
ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網を介して音声通話を行う際、宛先端末に対応するＮＡＰＴＲリソースレコードの問合せを前記ＥＮＵＭサーバに行い、前記ＮＡＰＴＲリソースレコードが登録されている場合には当該ＮＡＰＴＲリソースレコードの内容に従ってＩＰ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うことを特徴とする通話方法。
【請求項１１】
ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網又はＰＳＴＮ網を介して音声通話を行う際、宛先端末に対応するＮＡＰＴＲリソースレコードの問合せを前記ＥＮＵＭサーバに行い、前記ＮＡＰＴＲリソースレコードが登録されている場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うことを特徴とする通話方法。
【請求項１２】
前記ＥＮＵＭサーバに問合せを行ったＮＡＰＴＲリソースレコードが登録され且つ前記宛先端末がＳＩＰプロトコルに対応可能である旨が登録されている場合には当該宛先端末とＩＰ網を介してＳＩＰプロトコルに従って呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うことを特徴とする請求項１０又は請求項１１記載の通話方法。
【請求項１３】
前記ＥＮＵＭサーバに問合せを行ったＮＡＰＴＲリソースレコードが登録され且つ前記宛先端末がＰＳＴＮ網に対応可能である旨が登録されている場合には当該宛先端末とＰＳＴＮ網を介して呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うことを特徴とする請求項１１又は請求項１２記載の通話方法。
【請求項１４】
前記ＥＮＵＭサーバは、インターネットプロバイダが備えることを特徴とする請求項１０から請求項１３のいずれかに記載の通話方法。
【発明の詳細な説明】
【技術分野】
【０００１】
本発明は、ＩＰ網を介して通話するＩＰ電話システム、ＩＰ電話装置及び通話方法に関する。
【背景技術】
【０００２】
近年、インターネットの急速な普及に伴い、ＩＰ網上で音声通話を可能とするＩＰ電話装置（以下、「ＩＰ電話」という）も急速に普及している。かかるＩＰ電話の急速な普及に伴い、メディアストリームが成立したにも関わらず、通話が成り立たないという事態を回避する技術が提案されている（例えば、特許文献１参照）。かかる提案は、ＩＰ網側が輻輳している状態において発生し得る課題を解決しようとするものであるが、この輻輳状態においてはＩＰ網側に設置されたＣＡ（Call Agent）の負荷が大きくならざるを得ない。このため、現在、ＩＰ網側に設置されたＣＡの負荷を軽減させることが要請されている。
【０００３】
図９は、従来のＩＰ電話を用いた場合に利用される通話の経路を示す図である。以下、同図に示すＩＰ電話Ａ９０１とＩＰ電話Ｂ９０２との間で通話する場合の経路について説明する。
【０００４】
なお、図９において、ＩＰ電話Ａ９０１及びＩＰ電話Ｂ９０２は、それぞれ異なるプロバイダと契約しているものとし、また、それぞれ異なるキャリアが有するＣＡにより管理されるものとする。ＩＰ電話Ａ９０１及びＩＰ電話Ｂ９０２は、ＩＰ網及びＰＳＴＮ網を介して音声通話が可能な機能を有している。また、ＣＡは、ＳＩＰ(Session Initiation Protocol)サーバとしての機能を有するものとする。
【０００５】
ＩＰ電話Ａ９０１がＩＰ電話Ｂ９０２との間で通話をする場合、ＩＰ網を介して通話をする場合と、公衆回線交換網（以下、「ＰＳＴＮ網」という）を介して行う場合とがある。
【０００６】
ＩＰ網を介して通話を行う場合、ＩＰ電話Ａ９０１は、モデムＡ９０３を介してキャリアＡが有するＣＡ９０４に宛先端末（ＩＰ電話Ｂ９０２）の情報を含む「ＩＮＶＩＴＥ」メッセージを送出する。ＣＡ９０４では、宛先端末が管理対象の端末でないため、当該宛先端末を管理するＣＡを検索する。検索の結果、キャリアＢが有するＣＡ９０５を認識し、先の「ＩＮＶＩＴＥ」メッセージを送出する。ＣＡ９０５では、この「ＩＮＶＩＴＥ」メッセージの内容に応じてＩＰ電話Ｂ９０２に送出する。ＩＰ電話Ｂ９０２は、この「ＩＮＶＩＴＥ」メッセージをモデムＢ９０６を介して受け取る。「ＩＮＶＩＴＥ」メッセージを受け取った後、ＳＩＰに規定されるメッセージをＩＰ電話Ａ９０１とＩＰ電話Ｂ９０２との間で交換し、その後、通話可能状態となる。
【０００７】
一方、ＰＳＴＮ網を介して通話を行う場合、ＩＰ電話Ａ９０１は、ＩＰ電話Ｂ９０２の電話番号を入力して発呼する。すると、ＩＰ電話Ａ９０１からＰＳＴＮ網を経由してＩＰ電話Ｂ９０２に着信する。そして、ＩＰ電話Ｂ９０２で受話器を上げるなどの対応があると、ＩＰ電話Ａ９０１とＩＰ電話Ｂ９０２との間の回線が確立し、その後、通話可能状態となる。
【０００８】
なお、図９においては、ＩＰ電話Ａ９０１から携帯電話網やＰＳＴＮ網上に存在する端末と通話する場合の通話経路も示している。その場合、ＩＰ電話Ａ９０１からの音声データは、ＭＧ（Media Gateway）９０７においてＰＳＴＮ網又は携帯電話網で必要な形態に変換された後、交換機９０８を介してＰＳＴＮ網又は携帯電話網に送出される。
【０００９】
また、ＩＰ網を介して通話を行う場合において、ＩＰ網に何らかの問題が発生した場合には、ＣＡ９０４は、ＩＰ網以外の網を迂回して通話を行わせる。例えば、ＰＳＴＮ網を迂回して通話を行わせる場合には、ＩＰ電話Ａ９０１からの音声データは、上述の場合と同様にＭＧ９０７及び交換機９０８を介してＰＳＴＮ網に送出される。そして、キャリアＢの交換機９０９及びＭＧ９１０を介してＩＰ電話Ｂ９０２に送出される。
【００１０】
図１０は、ＩＰ網を介して通話を行う場合のシーケンスについて示す図である。
【００１１】
ＩＰ電話Ａ９０１でダイヤル発呼されると、ＣＡ９０４に対して「ＩＮＶＩＴＥ」メッセージが送出される。ＣＡ９０４は、この「ＩＮＶＩＴＥ」メッセージをＣＡ９０５に送出すると共に、ＩＰ電話Ａ９０１に「１００ｔｒｙｉｎｇ」メッセージを送出する。同様に、ＣＡ９０５は、この「ＩＮＶＩＴＥ」メッセージをＩＰ電話Ｂ９０２に送出すると共に、ＣＡ９０４に「１００ｔｒｙｉｎｇ」メッセージを送出する。
【００１２】
ＩＰ電話Ｂ９０２は、この「ＩＮＶＩＴＥ」メッセージを受け取ると、「１００ｔｒｙｉｎｇ」メッセージを送出した後、「１８０Ｒｉｎｇｉｎｇ」メッセージをＣＡ９０５に送出する。また、この「１８０Ｒｉｎｇｉｎｇ」メッセージを送出すると共に、着信音を鳴動させる。ＣＡ９０５は、この「１８０Ｒｉｎｇｉｎｇ」メッセージをＣＡ９０４に送出する。ＣＡ９０４は、この「１８０Ｒｉｎｇｉｎｇ」メッセージをＩＰ電話Ａ９０１に送出する。ＩＰ電話Ａ９０１では、この「１８０Ｒｉｎｇｉｎｇ」メッセージに応じて呼出音を鳴動させる。
【００１３】
着信音に応じてＩＰ電話Ｂ９０２においてオフフック動作等か検出されると、ＩＰ電話Ｂ９０２は、これに応じてＣＡ９０５に対して接続許可を示す「２００ＯＫ」メッセージを送出する。ＣＡ９０５は、この「２００ＯＫ」メッセージをＣＡ９０４に送出する。ＣＡ９０４は、この「２００ＯＫ」メッセージをＩＰ電話Ａ９０１に送出する。
【００１４】
この「２００ＯＫ」メッセージを受けると、ＩＰ電話Ａ９０１は、「ＡＣＫ」メッセージをＣＡ９０４に送出する。ＣＡ９０４は、この「ＡＣＫ」メッセージをＣＡ９０５に送出する。ＣＡ９０５は、この「ＡＣＫ」メッセージをＩＰ電話Ｂ９０２に送出する。ＩＰ電話Ｂ９０２がこの「ＡＣＫ」メッセージを受け取ると、ＩＰ網を介してＩＰ電話Ａ９０１とＩＰ電話Ｂ９０２との間で通話可能状態となる。
【特許文献１】特開２００３−３３３１０６号公報
【発明の開示】
【発明が解決しようとする課題】
【００１５】
しかしながら、上述のようにＩＰ網を介して通話を行う場合には、ＣＡが「ＩＮＶＩＴＥ」メッセージや「２００ＯＫ」メッセージといった全てのメッセージを発呼先の端末又は他のＣＡに中継する必要があるため、ＣＡの負荷が過大となり、今後更にＩＰ電話の普及していく環境下においては今後更に深刻になるという問題がある。
【００１６】
また、ＰＳＴＮ網を介して通話を行う場合においても、発呼元のＩＰ電話に宛先端末がＰＳＴＮ経由で通話を行う端末であると予め設定されていない場合には、発呼の際にＣＡに対して所定信号（例えば、ＳＩＰにおける「ＩＮＶＩＴＥ」メッセージ）が送出される。ＣＡにおいては、この所定信号に対応することとなるため、上述の問題と合わせて更に負荷が過大となるという問題がある。
【００１７】
かかる問題にはＣＡの処理能力を拡大することで対応することも考えられる。しかし、このような対応策においてはかかる処理能力を有するＣＡの実現に莫大なコストを要することとなり、ひいてはかかるコストを利用者に負担させることも考えられ、ＩＰ電話システムの普及の支障にもなりかねない。
【００１８】
本発明は、かかる問題点に鑑みて為されたものであり、ＩＰ網上に設置されたＣＡの負荷を軽減しつつ、莫大なコストを必要としないでＩＰ電話システムの更なる普及を実現することができるＩＰ電話システム、ＩＰ電話装置及び通話方法を提供することを目的とする。
【課題を解決するための手段】
【００１９】
本発明は、ＩＰ網を介して音声通話を行うＩＰ電話装置と、ＩＰ電話装置におけるＩＰ網を介した音声通話を管理するＩＰ電話管理サーバと、ＩＰ電話装置の問合せに応じてＮＡＰＴＲリソースレコードを返送するＥＮＵＭサーバと、を具備するＩＰ電話システムにおいて、ＩＰ電話装置は、ＩＰ網を介して音声通話を行う際、宛先端末に対応するＮＡＰＴＲリソースレコードをＥＮＵＭサーバに問い合わせ、ＮＡＰＴＲリソースレコードが登録されている場合には当該ＮＡＰＴＲリソースレコードの内容に従ってＩＰ網を介して宛先端末と直接呼制御を行った後にＩＰ網を介して音声通話を行う一方、ＮＡＰＴＲリソースレコードが未登録の場合にはＩＰ電話管理サーバを介してＩＰ網により宛先端末と呼制御を行った後に音声通話を行うようにしたものである。
【発明の効果】
【００２０】
本発明に係るＩＰ電話システム、ＩＰ電話装置及び通話方法によれば、ＩＰ網上に設置されたＣＡの負荷を軽減しつつ、莫大なコストを必要としないでＩＰ電話システムの更なる普及を実現することができる。
【発明を実施するための最良の形態】
【００２１】
本発明の第１の態様に係るＩＰ電話システムは、ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行う構成を採る。
【００２２】
この構成によれば、ＥＮＵＭサーバにＮＡＰＴＲリソースレコードが登録されている場合には当該ＮＡＰＴＲリソースレコードの内容に従ってＩＰ網を介して宛先端末との間で直接呼制御を行った後に音声通話が行われる一方、ＮＡＰＴＲリソースレコードが未登録の場合にはＩＰ電話管理サーバ（ＣＡ）を介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【００２３】
本発明の第２の態様に係るＩＰ電話システムは、ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を具備するＩＰ電話システムであって、前記ＩＰ電話装置は、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行う構成を採る。
【００２４】
この構成によれば、ＥＮＵＭサーバにＮＡＰＴＲリソースレコードが登録されている場合には当該ＮＡＰＴＲリソースレコードの内容に従ってＩＰ網又はＰＳＴＮ網を介して宛先端末との間で直接呼制御を行った後に音声通話が行われる一方、ＮＡＰＴＲリソースレコードが未登録の場合にはＩＰ電話管理サーバを介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【００２５】
また、ＮＡＰＴＲリソースレコードにＰＳＴＮ網を用いた音声通話を示す内容が登録されている場合には、ＰＳＴＮ網を介して音声通話が行われる。これにより、宛先端末がＰＳＴＮ網経由で発信する端末であるにも関わらず、ＩＰ電話装置がＩＰ電話管理サーバに呼制御を行う事態が回避される。この結果、さらにＩＰ電話管理サーバの負荷を軽減することができる。
【００２６】
本発明の第３の態様は、第１又は第２の態様に係るＩＰ電話システムにおいて、前記ＩＰ電話装置は、前記ＥＮＵＭサーバに問合せを行ったＮＡＰＴＲリソースレコードが登録され且つ前記宛先端末がＳＩＰプロトコルに対応可能である旨が登録されている場合には当該宛先端末とＩＰ網を介してＳＩＰプロトコルに従って呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行う構成を採る。
【００２７】
この構成によれば、ＮＡＰＴＲリソースレコードが登録され且つ宛先端末がＳＩＰプロトコルに対応可能である旨が登録されている場合には当該宛先端末とＩＰ網を介してＳＩＰプロトコルに従って呼制御を行った後に音声通話が行われる一方、ＮＡＰＴＲリソースレコードが未登録の場合にはＩＰ電話管理サーバを介してＩＰ網により宛先端末とＳＩＰプロトコルに従って呼制御を行った後に音声通話が行われる。これにより、ＩＰ電話管理サーバにより行われるＳＩＰプロトコルに従った呼制御が低減されると共に、ＩＰ電話管理サーバによるＳＩＰに従った呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【００２８】
本発明の第４の態様は、第２又は第３の態様に係るＩＰ電話システムにおいて、前記ＩＰ電話装置は、前記ＥＮＵＭサーバに問合せを行ったＮＡＰＴＲリソースレコードが登録され且つ前記宛先端末がＰＳＴＮ網に対応可能である旨が登録されている場合には当該宛先端末とＰＳＴＮ網を介して呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行う構成を採る。
【００２９】
この構成によれば、ＮＡＰＴＲリソースレコードが登録され且つ宛先端末がＰＳＴＮ網に対応可能である旨が登録されている場合には当該宛先端末とＰＳＴＮ網を介して呼制御を行った後に音声通話が行われる一方、ＮＡＰＴＲリソースレコードが未登録の場合にはＩＰ電話管理サーバを介してＩＰ網により宛先端末とＳＩＰプロトコルに従って呼制御を行った後に音声通話が行われる。これにより、宛先端末がＰＳＴＮ網経由で発信する端末であるにも関わらず、ＩＰ電話装置がＩＰ電話管理サーバに呼制御を行う事態が回避される。この結果、ＩＰ電話管理サーバの負荷を軽減することができる。
【００３０】
本発明の第５の態様は、第１から第４のいずれかの態様に係るＩＰ電話システムにおいて、前記ＥＮＵＭサーバは、インターネットプロバイダが備える構成を採る。
【００３１】
この構成によれば、インターネットプロバイダによりＥＮＵＭサーバが運営される。これにより、インターネットプロバイダにおいては、キャリアの設備等の貸与に要していた費用が削減されるので、当該ＥＮＵＭサーバの利用率を向上させようと努めると考えられる。この結果、キャリアがＥＮＵＭサーバを備える場合と比較して、ＩＰ電話システムがより普及されるという効果が期待できる。
【００３２】
本発明の第６の態様に係るＩＰ電話装置は、ＩＰ電話装置によるＩＰ網を介した音声通話を管理するＩＰ電話管理サーバ及びＩＰ電話装置の問合せに応じてＮＡＰＴＲリソースレコードを返送するＥＮＵＭサーバに接続されるＩＰ電話装置であって、ＩＰ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行う構成を採る。
【００３３】
この構成によれば、ＥＮＵＭサーバにＮＡＰＴＲリソースレコードが登録されている場合には当該ＮＡＰＴＲリソースレコードの内容に従ってＩＰ網を介して宛先端末との間で直接呼制御を行った後に音声通話が行われる一方、ＮＡＰＴＲリソースレコードが未登録の場合にはＩＰ電話管理サーバを介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【００３４】
本発明の第７の態様に係るＩＰ電話装置は、ＩＰ電話装置によるＩＰ網を介した音声通話を管理するＩＰ電話管理サーバ及びＩＰ電話装置の問合せに応じてＮＡＰＴＲリソースレコードを返送するＥＮＵＭサーバに接続されるＩＰ電話装置であって、ＩＰ網又はＰＳＴＮ網を介して音声通話を行う際、宛先端末に対応するＮＡＰＴＲリソースレコードを前記ＥＮＵＭサーバに問い合わせ、前記ＮＡＰＴＲリソースレコードが登録されている場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行う構成を採る。
【００３５】
この構成によれば、ＥＮＵＭサーバにＮＡＰＴＲリソースレコードが登録されている場合には当該ＮＡＰＴＲリソースレコードの内容に従ってＩＰ網又はＰＳＴＮ網を介して宛先端末との間で直接呼制御を行った後に音声通話が行われる一方、ＮＡＰＴＲリソースレコードが未登録の場合にはＩＰ電話管理サーバを介してＩＰ網により宛先端末との間で呼制御を行った後に音声通話が行われる。これにより、ＩＰ電話管理サーバにより行われる呼制御が低減されると共に、ＩＰ電話管理サーバによる呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【００３６】
また、ＮＡＰＴＲリソースレコードにＰＳＴＮ網を用いた音声通話を示す内容が登録されている場合には、ＰＳＴＮ網を介して音声通話が行われる。これにより、宛先端末がＰＳＴＮ網経由で発信する端末であるにも関わらず、ＩＰ電話装置がＩＰ電話管理サーバに呼制御を行う事態が回避される。この結果、さらにＩＰ電話管理サーバの負荷を軽減することができる。
【００３７】
本発明の第８の態様に係るＩＰ電話装置は、第６又は第７の態様に係るＩＰ電話装置において、前記ＥＮＵＭサーバに問合せを行ったＮＡＰＴＲリソースレコードが登録され且つ前記宛先端末がＳＩＰプロトコルに対応可能である旨が登録されている場合には当該宛先端末とＩＰ網を介してＳＩＰプロトコルに従って呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行う構成を採る。
【００３８】
この構成によれば、ＮＡＰＴＲリソースレコードが登録され且つ宛先端末がＳＩＰプロトコルに対応可能である旨が登録されている場合には当該宛先端末とＩＰ網を介してＳＩＰプロトコルに従って呼制御を行った後に音声通話が行われる一方、ＮＡＰＴＲリソースレコードが未登録の場合にはＩＰ電話管理サーバを介してＩＰ網により宛先端末とＳＩＰに従って呼制御を行った後に音声通話が行われる。これにより、ＩＰ電話管理サーバにより行われるＳＩＰに従った呼制御が低減されると共に、ＩＰ電話管理サーバによるＳＩＰに従った呼制御を必要としない、ＩＰ網経由の音声通話が実現される。この結果、ＩＰ電話管理サーバの負荷を軽減しつつ、ＩＰ網を介した音声通話の処理量を大きくすることができる。また、ＥＮＵＭサーバは、それ自体で呼制御を行わず、ＮＡＰＴＲリソースレコードを返送するのみである。呼制御は、ＩＰ電話と宛先端末との間で行われるので、ＩＰ電話管理サーバと比較して構築に要するコストを小さくすることができる。この結果、莫大なコストを必要としないでＩＰ電話システムの更なる普及を実現することができる。
【００３９】
本発明の第９の態様に係るＩＰ電話装置は、第７又は第８の態様に係るＩＰ電話装置において、前記ＥＮＵＭサーバに問合せを行ったＮＡＰＴＲリソースレコードが登録され且つ前記宛先端末がＰＳＴＮ網に対応可能である旨が登録されている場合には当該宛先端末とＰＳＴＮ網を介して呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行う構成を採る。
【００４０】
この構成によれば、ＮＡＰＴＲリソースレコードが登録され且つ宛先端末がＰＳＴＮ網に対応可能である旨が登録されている場合には当該宛先端末とＰＳＴＮ網を介して呼制御を行った後に音声通話が行われる一方、ＮＡＰＴＲリソースレコードが未登録の場合にはＩＰ電話管理サーバを介してＩＰ網により宛先端末とＳＩＰプロトコルに従って呼制御を行った後に音声通話が行われる。これにより、宛先端末がＰＳＴＮ網経由で発信する端末であるにも関わらず、ＩＰ電話装置がＩＰ電話管理サーバに呼制御を行う事態が回避される。この結果、ＩＰ電話管理サーバの負荷を軽減することができる。
【００４１】
本発明の第１０の態様に係る通話方法は、ＩＰ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網を介して音声通話を行う際、宛先端末に対応するＮＡＰＴＲリソースレコードの問合せを前記ＥＮＵＭサーバに行い、前記ＮＡＰＴＲリソースレコードが登録されている場合には当該ＮＡＰＴＲリソースレコードの内容に従ってＩＰ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うものである。
【００４２】
本発明の第１１の態様に係る通話方法は、ＩＰ網又はＰＳＴＮ網を介して音声通話を行うＩＰ電話装置と、前記ＩＰ電話装置におけるＩＰ網を介した音声通話を管理するＩＰ電話管理サーバと、前記ＩＰ電話装置の問合せに応じてＮＡＰＴＲリソースレコードを返送するＥＮＵＭサーバと、を用いた通話方法であって、前記ＩＰ電話装置からＩＰ網又はＰＳＴＮ網を介して音声通話を行う際、宛先端末に対応するＮＡＰＴＲリソースレコードの問合せを前記ＥＮＵＭサーバに行い、前記ＮＡＰＴＲリソースレコードが登録されている場合には当該ＮＡＰＴＲリソースレコードの内容に従ってＩＰ網又はＰＳＴＮ網を介して前記宛先端末と直接呼制御を行った後に音声通話を行う一方、前記ＮＡＰＴＲリソースレコードが未登録の場合には前記ＩＰ電話管理サーバを介してＩＰ網により前記宛先端末と呼制御を行った後に音声通話を行うものである。
【００４３】
本発明の第１２の態様は、第１０又は第１１の態様に係る通話方法において、前記ＥＮＵＭサーバに問合せを行ったＮＡＰＴＲリソースレコードが登録され且つ前記宛先端末がＳＩＰプロトコルに対応可能である旨が登録されている場合には当該宛先端末とＩＰ網を介してＳＩＰプロトコルに従って呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うものである。
【００４４】
本発明の第１３の態様は、第１１又は第１２の態様に係る通話方法において、前記ＥＮＵＭサーバに問合せを行ったＮＡＰＴＲリソースレコードが登録され且つ前記宛先端末がＰＳＴＮ網に対応可能である旨が登録されている場合には当該宛先端末とＰＳＴＮ網を介して呼制御を行った後に音声通話を行う一方、前記ＮＡＰＴＲリソースレコードが未登録の場合には前記ＩＰ電話管理サーバを介してＩＰ網により前記宛先端末とＳＩＰプロトコルに従って呼制御を行った後に音声通話を行うものである。
【００４５】
本発明の第１４の態様は、第１０〜第１３のいずれかの態様に係る通話方法において、前記ＥＮＵＭサーバは、インターネットプロバイダが備えるものである。
【００４６】
以下、本発明の実施の形態について図面を参照して詳細に説明する。
【００４７】
図１は、本発明の一実施の形態に係るＩＰ電話システムが適用されるネットワークの構成を示す図である。
【００４８】
図１においては、それぞれ異なるプロバイダと契約しているＩＰ電話Ａ１０１と、ＩＰ電話Ｂ１０２とが通話する場合に必要となるネットワークの構成について示している。ＩＰ電話Ａ１０１は、プロバイダＡ１０３と契約しており、ＩＰ電話Ｂ１０２は、プロバイダＢ１０４と契約している。また、プロバイダＡ、Ｂ間もＩＰ網により接続している。ＩＰ電話Ａ１０１及びＩＰ電話Ｂ１０２は、ＩＰ網及びＰＳＴＮ網を介して音声通話が可能な機能を有している。
【００４９】
また、ＩＰ電話Ａ１０１及びＩＰ電話Ｂ１０２は、それぞれ異なるキャリアが有する、ＩＰ電話管理サーバとしてのＣＡにより管理されている。ＩＰ電話Ａ１０１は、キャリアＡ１０５が有するＣＡ１０６に管理され、ＩＰ電話Ｂ１０２は、キャリアＢ１０７が有するＣＡ１０８に管理されている。ＣＡ１０６及びＣＡ１０８は、それぞれＩＰ電話Ａ１０１及びＩＰ電話Ｂ１０２におけるＩＰ網を介した音声通話を管理する。なお、ＣＡ１０６及びＣＡ１０８は、それぞれＳＩＰ(Session Initiation Protocol)サーバとしての機能を有する。
【００５０】
プロバイダＡ１０３は、ＥＮＵＭ（E.164 telephone Number Mapping）サーバ１０９並びにＤＮＳ（Domain Name System）サーバ１１０として機能する端末を備えている。例えば、ＥＮＵＭサーバ１０９やＤＮＳサーバ１１０は、データベースを管理可能なソフトウェアを搭載したパーソナルコンピュータ(以下、「ＰＣ」という)で実現される。プロバイダＢ１０４も、プロバイダＡ１０３と同様に、ＥＮＵＭサーバ１１１及びＤＮＳサーバ１１２を備えている。なお、ＥＮＵＭサーバとＤＮＳサーバとを分けずに一つのサーバが両方の機能を備えるようにしてもよい。
【００５１】
かかる構成を有するネットワークにおいてＩＰ電話Ａ１０１がＩＰ電話Ｂ１０２との間で通話をする場合、本実施の形態に係るＩＰ電話システムにおいては、図１に示すように、ＩＰ網を介して通話をする場合及びＰＳＴＮ網を介して行う場合がある。さらに、本実施の形態に係るＩＰ電話システムにおいては、ＩＰ網上に構築される網であって、プロバイダが備えるＥＮＵＭサーバが提供するＮＡＰＴＲリソースレコードに基づいてＩＰ網上で音声通話が可能となる網（以下、「ＥＮＵＭ網」という）を介して行う場合がある。以下においては、キャリアが有するＣＡにより管理されるＩＰ電話間の音声通話が行われる網をＩＰ網と呼ぶ一方、ＥＮＵＭサーバが提供するＮＡＰＴＲリソースレコードに基づいてＩＰ電話間の音声通話が行われる網をＥＮＵＭ網と呼ぶものとし、これらを区別する。
【００５２】
ＩＰ網を介して通話を行う場合、ＩＰ電話Ａ１０１は、モデムＡ１１３を介してＣＡ１０６に宛先端末（ＩＰ電話Ｂ１０２）の情報を含む「ＩＮＶＩＴＥ」メッセージを送出する。ＣＡ１０６では、宛先端末が管理対象の端末でないため、当該宛先端末を管理するＣＡを検索する。検索の結果、ＣＡ１０８を認識し、先の「ＩＮＶＩＴＥ」メッセージを送出する。ＣＡ１０８では、この「ＩＮＶＩＴＥ」メッセージの内容に応じてＩＰ電話Ｂ１０２に送出する。ＩＰ電話Ｂ１０２は、この「ＩＮＶＩＴＥ」メッセージをモデムＢ１１４を介して受け取る。「ＩＮＶＩＴＥ」メッセージを受け取った後、ＳＩＰに規定されるメッセージをＩＰ電話Ａ１０１とＩＰ電話Ｂ１０２との間で直接交換し、その後、通話可能状態となる。
【００５３】
ＰＳＴＮ網を介して通話を行う場合、ＩＰ電話Ａ１０１は、ＩＰ電話Ｂ１０２の電話番号を入力して発呼する。すると、ＩＰ電話Ａ１０１からＰＳＴＮ網を経由してＩＰ電話Ｂ１０２に着信する。そして、ＩＰ電話Ｂ１０２で受話器を上げるなどの対応があると、ＩＰ電話Ａ１０１とＩＰ電話Ｂ１０２との間の回線が確立し、その後、通話可能状態となる。
【００５４】
なお、ＰＳＴＮ網を介して通話を行う場合には、原則として事前に発呼元のＩＰ電話Ａ１０１にＥＮＵＭサーバへの問い合わせを行わないようにする設定が必要となる。かかる設定が行われていない場合には、後述するように発呼元のＩＰ電話Ａ１０１は、ＥＮＵＭサーバ１０９にＮＡＰＴＲリソースレコードを問い合わせることとなる。
【００５５】
ＥＮＵＭ網を介して通話を行う場合、ＩＰ電話Ａ１０１は、宛先端末（ＩＰ電話Ｂ１０２）のＮＡＰＴＲリソースレコードをＥＮＵＭサーバ１０９に問い合わせる。かかるＮＰＴＲリソースレコードで対応可能なサービスとしてＳＩＰが登録されている場合には、ＩＰ電話Ａ１０１は、ＩＰ電話Ｂ１０２に対して「ＩＮＶＩＴＥ」メッセージを送出する。ＩＰ電話Ｂ１０２でこの「ＩＮＶＩＴＥ」メッセージを受け取った後、ＳＩＰに規定されるメッセージをＩＰ電話Ａ１０１とＩＰ電話Ｂ１０２との間で交換し、その後、通話可能状態となる。なお、ＥＮＵＭ網を介して通話を行う場合の詳細な処理については後述する。
【００５６】
なお、図１においては、ＩＰ電話Ａ１０１（ＩＰ電話Ｂ１０２）から携帯電話網やＰＳＴＮ網上に存在する端末と通話する場合の通話経路も示している。その場合、ＩＰ電話Ａ１０１からの音声データは、ＭＧ（Media Gateway）１１５においてＰＳＴＮ網又は携帯電話網で必要な形態に変換された後、交換機１１６を介してＰＳＴＮ網又は携帯電話網に送出される。
【００５７】
また、ＩＰ網を介してＩＰ電話Ａ１０１とＩＰ電話Ｂ１０２との間で通話を行う場合において、ＩＰ網に何らかの問題が発生した場合には、ＣＡ１０６（１０８）は、ＩＰ網以外の網を迂回して通話を行わせる。例えば、ＰＳＴＮ網を迂回して通話を行わせる場合には、ＩＰ電話Ａ１０１（ＩＰ電話Ｂ１０２）からの音声データは、上述の場合と同様にＭＧ１１５（ＭＧ１１７）及び交換機１１６(交換機１１８)を介してＰＳＴＮ網に送出される。そして、キャリアＢ１０７（キャリアＡ１０５）の交換機１１８（交換機１１６）及びＭＧ１１７（ＭＧ１１６）を介してＩＰ電話Ｂ１０２（ＩＰ電話Ａ１０１）に送出される。
【００５８】
図２は、本実施の形態に係るＩＰ電話システムを構成するＩＰ電話Ａ１０１の構成を示すブロック図である。なお、ＩＰ電話Ｂ１０２についても同様の構成を有する。
【００５９】
同図に示すように、本実施の形態に係るＩＰ電話Ａ１０１は、制御アダプタ２０１に通常の電話機２０２を接続して構成される。ここで通常の電話機とは、ＩＰ網を介して音声通話を行う機能を有しないＰＳＴＮ網による通話のみ可能な電話機をいうものとする。なお、本実施の形態に係る制御アダプタ２０１は、２台の通常の電話機２０２を接続可能であり、各電話機をＩＰ電話として機能させることができる。なお、制御アダプタ２０１が接続可能な電話機を３台以上にすることも当然に可能である。
【００６０】
制御アダプタ２０１は、装置本体の全体を制御するＣＰＵ２０３を備えている。このＣＰＵ２０３に制御バス２０４を介してＲＯＭ２０５及びＲＡＭ２０６が接続されている。ＲＯＭ２０５には、ＣＰＵ２０３が読み込んで実行する本制御アダプタ２０１の制御プログラムが格納されている。ＲＡＭ２０６は、ＣＰＵ２０３が制御プログラムを実行する際のワークメモリとして機能する。なお、本制御アダプタ２０１においては、ＲＯＭ２０５としてフラッシュＲＯＭを用い、ＲＡＭ２０６としてＳＤＲＡＭを用いる。
【００６１】
また、ＣＰＵ２０３にポート２０７を介してクロスポイントミキサ２０８が接続されている。クロスポイントミキサ２０８は、後述するＮＣＵを介して接続された２台の電話機に提供する通話路の切換え機能及びミキシング機能を備える。
【００６２】
クロスポイントミキサ２０８にＮＣＵ（Network Control Unit）２０９が接続されている。ＮＣＵ２０９は、本制御アダプタ２０１に接続された電話回線を制御して通信相手との回線の接続又は切断を行う。
【００６３】
さらに、ＣＰＵ２０３に制御バス２０４を介してＡ／Ｄ・Ｄ／ＡＣＯＤＥＣ２１０が接続されている。Ａ／Ｄ・Ｄ／ＡＣＯＤＥＣ２１０は、電話機２０２から入力された音声データのアナログ／デジタル変換を行った後、圧縮処理を施す。一方、後述するＬＡＮコントローラを介して受け取った圧縮データを復元した後、デジタル／アナログ変換処理を施す。
【００６４】
さらに、ＣＰＵ２０３に制御バス２０４を介して２つのＬＡＮコントローラ２１１及びＬＡＮコントローラ２１２が接続されている。ＬＡＮコントローラ２１１は、本制御アダプタ２０１が接続されたネットワークを構成するイーサネット（Ｒ）を介して接続されたＩＰ電話やＰＣ等との間で通信される信号の制御を行う。なお、ネットワーク上を送信されるパケットデータの組立て及び解析は、ＬＡＮコントローラ２１１によって行われる。ＬＡＮコントローラ２１２は、本制御アダプタ２０１にイーサネット（Ｒ）を介して接続されたＤＳＬモデム（モデムＡ）を介してＩＰ網やＥＮＵＭ網との間で通信される信号の制御を行う。
【００６５】
さらに、ＣＰＵ２０３に制御バス２０４を介してＰＳＴＮコントローラ２１３が接続されている。ＰＳＴＮコントローラ２１３は、アナログインターフェイス（Ｉ／Ｆ）２１４を介して接続されるＰＳＴＮ網との間で通信される信号の制御を行う。
【００６６】
なお、以上の制御アダプタ２０１に通常の電話機を接続する形ではなく、ＩＰ電話Ａ１０１でかかる構成を実現する場合には、本制御アダプタ２０１の機能を有する制御ボードをＩＰ電話Ａ１０１に搭載することで実現可能である。
【００６７】
図３は、本実施の形態に係るＩＰ電話システムを構成するＥＮＵＭサーバ１０９の構成を示すブロック図である。なお、ＥＮＵＭサーバ１１１についても同様の構成を有する。
【００６８】
同図に示すように、ＥＮＵＭサーバ１０９は、サーバ本体の全体を制御するＣＰＵ３０１を備えている。このＣＰＵ３０１にメモリ３０２が接続されている。メモリ３０２は、ＣＰＵ３０１が読み込んで実行する本ＥＮＵＭサーバ１０９の制御プログラムが格納されるＲＯＭとしての機能と、ＣＰＵ３０１が制御プログラムを実行する際のワークメモリとして機能するＲＡＭとしての機能とを備える。
【００６９】
また、ＣＰＵ３０１にデータベース（ＤＢ）３０３が接続されている。ＤＢ３０３は、後述するＮＡＰＴＲリソースレコードを登録している。ＣＰＵ３０１は、例えば、ＩＰ電話Ａ１０１からＥ．１６４番号に基づいて問い合わせを受けると、ＤＢ３０３に登録されたデータから該当するＮＡＰＴＲリソースレコードを検索して問い合わせをしてきたＩＰ電話Ａ１０１に返す。
【００７０】
さらに、ＣＰＵ３０１に入出力装置３０４が接続されている。入出力装置３０４は、例えば、キーボード等の入力装置と、ディスプレイ等の出力装置とから構成される。入力装置は、例えば、ＤＢ３０３に登録されるデータの内容を追加、編集する場合に利用される。出力装置は、例えば、ＤＢ３０３に登録されるデータの内容をＥＮＵＭサーバ１０９の管理者等が確認する場合に利用される。
【００７１】
さらに、ＣＰＵ３０１にネットワークインターフェイス（Ｉ／Ｆ）３０５が接続されている。ネットワークＩ／Ｆ３０５は、本ＥＮＵＭサーバ１０９が接続されるインターネットとのインターフェイスである。
【００７２】
図４は、本実施の形態に係るＥＮＵＭサーバ１０９のＤＢ３０３に登録されたＮＡＰＴＲリソースレコードの一例を示す図である。同図においては、図１に示すＩＰ電話Ｂ１０２に対応するＮＡＰＴＲリソースレコードを含むＮＡＰＴＲリソースレコードが登録されている場合について示している。なお、ＩＰ電話Ｂ１０２には、電話番号「０３１００００００１」が対応付けられているものとする。
【００７３】
図４においては、電話番号「０３１０００００００」、「０３１００００００１」及び「０３１００００００３」から得られるドメイン名に対応するＮＡＰＴＲリソースレコードが登録されている。図４においては、電話番号「０３１０００００００」から得られるドメイン名「０．０．０．０．０．０．０．１．３．１．８．ｅ１６４．ａｒｐａ」に対してＵＲＩ「８１３１０００００００＠ｔｏｋｙｏ．ｅｎｕｍｉｓｐ．ｊｐ」が対応付けられている。また、電話番号「０３１００００００３」から得られるドメイン名「３．０．０．０．０．０．０．１．３．１．８．ｅ１６４．ａｒｐａ」に対してＵＲＩ「８１３１００００００３＠ｔｏｋｙｏ．ｅｎｕｍｉｓｐ．ｊｐ」が対応付けられている。
【００７４】
さらに、電話番号「０３１００００００１」から得られるドメイン名「１．０．０．０．０．０．０．１．３．１．８．ｅ１６４．ａｒｐａ」に２つのＵＲＩ「８１３１００００００１＠ｔｏｋｙｏ．ｅｎｕｍｉｓｐ．ｊｐ」及び「８１３１００００００１；ｓｖｃ＝ｖｏｉｃｅ」が対応付けられている。すなわち、ＤＢ３０３には、ＩＰ電話Ｂ１０２に対応して２つのＮＡＰＴＲリソースレコードが登録されている。
【００７５】
この２つのＮＡＰＴＲリソースレコードのうち、第１行目にはＯｒｄｅｒフィールドに「１００」と記述されている。また、ＳｅｒｖｉｃｅフィールドにＳＩＰに対応可能である旨を示す「Ｅ２Ｕ＋ｓｉｐ」と記述されている。一方、第２行目にはＯｒｄｅｒフィールドに「１００」より優先度の低い「２００」と記述されている。また、ＳｅｒｖｉｃｅフィールドにＰＳＴＮ網による通話に対応可能である旨を示す「Ｅ２Ｕ＋ｔｅｌ」と記述されている。
【００７６】
図５は、本実施の形態に係るＩＰ電話システムにおいて、ＩＰ電話Ａ１０１からＩＰ電話Ｂ１０２に発呼を行う場合の動作を説明するためのフロー図である。なお、図５に示すフローを開始する際、ＥＮＵＭサーバ１０９のＤＢ３０３には、図４で説明したＮＡＰＴＲリソースレコードが登録されているものとする。
【００７７】
ＩＰ電話Ａ１０１からＩＰ電話Ｂ１０２に発呼する場合、ＩＰ電話Ａ１０１のオペレータからＩＰ電話Ｂ１０２の電話番号が入力された後、発呼が指示される。具体的には、電話番号「０３１００００００１」」あるいは「０３」を省略した「１００００００１」が入力された後、発呼が指示される。
【００７８】
電話番号を受け付けた後、発呼指示を受け付けると、ＩＰ電話Ａ１０１は、この電話番号に対応するＮＡＰＴＲリソースレコードをＥＮＵＭサーバ１０９に対して問い合わせる（ＳＴ５０１）。具体的には、ＩＰ電話Ａ１０１は、まず、オペレータが入力した「０３１００００００１」を国番号付きのＥ．１６４番号である「＋８１−３−１００００００１」に変換し、先頭の＋と数字を残して「＋８１３１００００００１」とする。そして、数字以外の文字を抹消して数字間にドットを挿入して「８．１．３．１．０．０．０．０．０．０．１」とする。次に、数字を逆順にして最後に文字列．ｅ１６４．ａｒｐａを追加する。これにより、ドメイン名である「１．０．０．０．０．０．０．１．３．１．８．ｅ１６４．ａｒｐａ」を得て、この文字列に対応するＮＡＰＴＲリソースレコードを問い合わせる。
【００７９】
そして、ＥＮＵＭサーバ１０９からの応答を待機する（ＳＴ５０２）。仮に応答がない場合には、ＩＰ電話Ａ１０１は、通話失敗と判断し処理を終了する。例えば、通信回線の不具合が発生したような場合に応答が得られない事態が発生する。ＤＢ３０３には、ＩＰ電話Ｂ１０２に対応するＮＡＰＴＲリソースレコードが登録されているので、ＩＰ電話Ａ１０１は応答を得る。
【００８０】
応答があった場合には、宛先端末に対応するＮＡＰＴＲリソースレコードの登録があるか判断する（ＳＴ５０３）。ＤＢ３０３には、ＩＰ電話Ｂ１０２に応じた文字列「１．０．０．０．０．０．０．１．３．１．８．ｅ１６４．ａｒｐａ」に対応するＮＡＰＴＲリソースレコードが登録されているので、宛先端末に対応するＮＡＰＴＲリソースレコードの登録があると判断される。
【００８１】
宛先端末に対応するＮＡＰＴＲリソースレコードの登録があると判断されると、対応可能なサービスにＳＩＰが返ってきたかを判断する（ＳＴ５０４）。具体的には、応答のあったＮＡＰＴＲリソースレコードのＳｅｒｖｉｃｅフィールドにＳＩＰ（Ｅ２Ｕ＋ｓｉｐ）が記述されているか判断する。文字列「１．０．０．０．０．０．０．１．３．１．８．ｅ１６４．ａｒｐａ」に対応するＮＡＰＴＲリソースレコードにおけるＳｅｒｖｉｃｅフィールドには、第１行目にＳＩＰが記述されているため、対応可能なサービスの種類としてＳＩＰが返ってきたと判断される。
【００８２】
対応可能なサービスとしてＳＩＰが返ってきたと判断されると、ＩＰ電話Ａ１０１は、ＳＩＰ  Ｐｅｅｒ＿ｔｏ＿Ｐｅｅｒによる通話を開始する（ＳＴ５０５）。これにより、ＩＰ電話Ａ１０１とＩＰ電話Ｂ１０２との間で直接、図１に示すＥＮＵＭ網を用いてＳＩＰに規定された手順に従って通話が行われる。
【００８３】
仮に、ＳＴ５０４において、対応可能なサービスにＳＩＰが返ってこないと判断されると、今度は対応可能なサービスとしてＰＳＴＮ網による通話（ｔｅｌ）が返ってきたかを判断する（ＳＴ５０６）。具体的には、応答のあったＮＡＰＴＲリソースレコードのＳｅｒｖｉｃｅフィールドにｔｅｌ（Ｅ２Ｕ＋ｔｅｌ）が記述されているか判断する。文字列「１．０．０．０．０．０．０．１．３．１．８．ｅ１６４．ａｒｐａ」に対応するＮＡＰＴＲリソースレコードにおけるＳｅｒｖｉｃｅフィールドには、第２行目にｔｅｌが記述されている。このため、何らかの理由でＳＩＰによる通話ができなかった場合には、続いてこのＮＡＰＴＲリソースレコードが返される。したがって、この場合にはＳＴ５０６において対応可能なサービスにｔｅｌが返ってきたと判断される。なお、ＳＴ５０６で対応可能なサービスにｔｅｌが返ってこないと判断された場合には、ＩＰ電話Ａ１０１は、通話失敗と判断し処理を終了する。
【００８４】
ＳＴ５０６において、対応可能なサービスにｔｅｌが返ってきたと判断されると、ＩＰ電話Ａ１０１は、ＰＳＴＮによる通話を開始する（ＳＴ５０７）。これにより、ＩＰ電話Ａ１０１とＩＰ電話Ｂ１０２との間で直接、図１に示すＰＳＴＮ網を用いて通話が行われる。
【００８５】
ところで、図４に示すＮＡＰＴＲリソースレコードが登録されている場合には移行しない処理となるが、ＳＴ５０３において宛先端末に対応するＮＡＰＴＲリソースレコードの登録がないと判断された場合には、ＩＰ電話Ａ１０１は、ＳＩＰに規定された手順に従ってＣＡ１０６経由で発信を行う（ＳＴ５０８）。具体的には、まず、ＣＡ１０６に対して宛先端末の情報を含む「ＩＮＶＩＴＥ」メッセージを送出する。
【００８６】
仮に宛先端末がＩＰ電話Ｂ１０２とすると、上述のようにＩＰ電話Ｂ１０２は、ＣＡ１０６により管理されていないため、ＣＡ１０６は、ＣＡ１０８にこの「ＩＮＶＩＴＥ」メッセージを送出する。そして、ＣＡ１０８からこの「ＩＮＶＩＴＥ」メッセージを受けたＩＰ電話Ｂ１０２からの応答メッセージがＣＡ１０８及びＣＡ１０６を経由してＩＰ電話Ａ１０１に返信される。
【００８７】
ＳＴ５０９においては、かかるＣＡ１０６からの応答を待機している。仮に応答がない場合にはＩＰ電話Ａ１０１は、通話失敗と判断し処理を終了する。ＳＴ５０２と同様に、例えば、通信回線の不具合が発生したような場合に応答が得られない事態が発生する。
【００８８】
一方、ＣＡ１０６から応答があった場合には、その応答において宛先端末と通話ができない旨を示すメッセージが返ってきたか判断する（ＳＴ５１０）。例えば、先頭数字が「４」、「５」及び「６」の３桁のメッセージ、すなわち、「４＊＊」メッセージ、「５＊＊」メッセージ及び「６＊＊」メッセージのうち、宛先端末と通話ができない旨を示すメッセージが返ってきたか判断する。宛先端末と通話ができない旨を示すメッセージが返ってきたと判断されると、ＩＰ電話Ａ１０１は、通話失敗と判断し処理を終了する。
【００８９】
宛先端末と通話ができない旨を示すメッセージ以外のメッセージが返ってきたと判断された場合、例えば、「１８０Ｒｉｎｇｉｎｇ」メッセージ等が返ってきたと判断された場合には、ＩＰ電話Ａ１０１は、ＣＡを経由してＩＰ網を用いた通話（ＩＰ電話）又はＩＰ網からＰＳＴＮ網へ迂回して行う通話（ＩＰ−ＰＳＴＮ）を開始する（ＳＴ５１１）。これにより、ＩＰ電話Ａ１０１とＩＰ電話Ｂ１０２との間で図１に示すＩＰ網を用いてＳＩＰに規定された手順に従って通話が行われる。また、何らかの理由でＣＡ１０６とＣＡ１０８との通信ができない場合にはＰＳＴＮ網を経由して通話が行われる。
【００９０】
以下、図５に示すフローにおいて、選択された通話経路毎のシーケンスについて説明する。
【００９１】
図６〜図８は、ＩＰ電話Ａ１０１とＩＰ電話Ｂ１０２との間で通話する場合において、その通話の経路毎のシーケンスを示す図である。図６は、図１に示すＥＮＵＭ網を通話経路に用いて通話が行われる場合のシーケンスを示し、図７は、図１に示すＰＳＴＮ網を通話経路に用いて通話が行われる場合のシーケンスを示し、図８は、図１に示すＩＰ網を通話経路に用いて通話が行われる場合のシーケンスを示している。
【００９２】
まず、図６に沿ってＥＮＵＭ網を通話経路に用いて通話が行われる場合について説明する。
【００９３】
図６に示すように、ＩＰ電話Ｂ１０２に発呼する際、ＩＰ電話Ａ１０１は、まず、オペレータからＩＰ電話Ｂ１０２の電話番号を受け付け、その電話番号に対応するＮＡＰＴＲリソースレコードをＥＮＵＭサーバ１０９に問い合わせる。ここでは、ＩＰ電話Ｂ１０２がＳＩＰに対応可能であるものとする。ＩＰ電話Ａ１０１から問い合わせを受けると、ＥＮＵＭサーバ１０９は、ＩＰ電話Ｂ１０２がＳＩＰに対応可能である内容が記述されたＮＡＰＴＲリソースレコードを返信する。このＮＡＰＴＲリソースレコードを受け取ることで、ＩＰ電話Ａ１０１は、ＩＰ電話Ｂ１０２に対応するＵＲＩも認識する。
【００９４】
ＮＡＰＴＲリソースレコードを受信すると、ＩＰ電話Ａ１０１は、ＩＰ電話Ｂ１０２のＩＰアドレスの検索をＤＮＳサーバ１１０に依頼する。具体的には、ＩＰ電話Ｂ１０２に対応するＵＲＩを通知し、このＵＲＩに対応するＩＰアドレスを問い合わせる。ＤＮＳサーバ１１０でＩＰ電話Ｂ１０２のＩＰアドレスを検索すると、ＤＮＳサーバ１１０は、そのＩＰアドレスをＩＰ電話Ａ１０１に通知する。
【００９５】
ＩＰ電話Ｂ１０２のＩＰアドレスの通知を受けると、ＩＰ電話Ａ１０１は、ＣＡを介さずに直接ＩＰ電話Ｂ１０２のＩＰアドレスに対して「ＩＮＶＩＴＥ」メッセージを送出する。このときの通信経路は、ＩＰ電話Ａ１０１〜プロバイダＡ〜プロバイダＢ〜ＩＰ電話Ｂ１０２である。この「ＩＮＶＩＴＥ」メッセージを受け取ると、ＩＰ電話Ｂ１０２は、ＩＰ電話Ａ１０１に対して「１００ｔｒｙｉｎｇ」メッセージを送出する。「１００ｔｒｙｉｎｇ」メッセージを送出した後、ＩＰ電話Ｂ１０２は、ＩＰ電話Ａ１０１に対して更に「１８０Ｒｉｎｇｉｎｇ」メッセージを送出する。ＩＰ電話Ｂ１０２においては、この「１８０Ｒｉｎｇｉｎｇ」メッセージの送出と共に着信音を鳴動させる。ＩＰ電話Ａ１０１は、この「１８０Ｒｉｎｇｉｎｇ」メッセージに応じて呼出音を鳴動させる。
【００９６】
着信音に応じてＩＰ電話Ｂ１０２においてオフフック動作等か検出されると、ＩＰ電話Ｂ１０２は、これに応じてＩＰ電話Ａ１０１に対して接続許可を示す「２００ＯＫ」メッセージを送出する。この「２００ＯＫ」メッセージを受けると、ＩＰ電話Ａ１０１は、「ＡＣＫ」メッセージをＩＰ電話Ｂ１０２に対して送出する。ＩＰ電話Ｂ１０２がこの「２００ＯＫ」メッセージを受け取ると、図１に示すＥＮＵＭ網を介してＩＰ電話Ａ１０１とＩＰ電話Ｂ１０２との間で通話可能状態となる。
【００９７】
このようにＥＮＵＭ網を通話経路に用いて通話が行われる際には、ＩＰ電話Ａ１０１とＩＰ電話Ｂ１０２との間で直接ＳＩＰに規定されるメッセージが交換される。したがって、かかる通話経路が選択された場合には、ＣＡ１０６及びＣＡ１０８で呼制御を行う必要がなくなるので、ＣＡ１０６及びＣＡ１０８における負荷を軽減することができる。
【００９８】
なお、ＥＮＵＭ網を通話経路に用いて通話が行われる際には、ＣＡ１０６及びＣＡ１０８における負荷を軽減する分、ＥＮＵＭサーバ１０９及びＥＮＵＭサーバ１１１の負荷が過大になると考えられる。しかし、ＥＮＵＭサーバ１０９等における処理は、発呼元端末からの問い合わせに応じてＮＡＰＴＲリソースレコードを返すのみであり、その通話における呼制御は発呼元端末と発呼先端末との間で直接行われる。したがって、ＣＡ１０６等と異なり、その通話における呼制御を行うことはないので、ＣＡ１０６等のように、ＥＮＵＭサーバ１０９等の負荷が過大になる事態は発生しない。
【００９９】
次に、図７に沿ってＰＳＴＮ網を通話経路に用いて通話を行われる場合について説明する。
【０１００】
図７に示すように、ＩＰ電話Ｂ１０２に発呼する際、ＩＰ電話Ａ１０１は、まず、オペレータからＩＰ電話Ｂ１０２の電話番号を受け付け、その電話番号に対応するＮＡＰＴＲリソースレコードをＥＮＵＭサーバ１０９に問い合わせる。ここでは、ＩＰ電話Ｂ１０２がＰＳＴＮ網による通話（ｔｅｌ）に対応可能であるものとする。ＩＰ電話Ａ１０１から問い合わせを受けると、ＥＮＵＭサーバ１０９は、ＩＰ電話Ｂ１０２がＰＳＴＮ網による通話（ｔｅｌ）に対応可能である内容が記述されたＮＡＰＴＲリソースレコードを返信する。
【０１０１】
ＮＡＰＴＲリソースレコードを受信すると、ＩＰ電話Ａ１０１は、ＰＳＴＮ網を介してＩＰ電話Ｂ１０２に対してダイヤル呼び出しを行う。このときの通信経路は、ＩＰ電話Ａ１０１〜ＰＳＴＮ網〜ＩＰ電話Ｂ１０２である。このダイヤル呼び出しに応じてＩＰ電話Ｂ１０２は、着信音を鳴動させると共に、ｒｉｎｇｉｎｇ信号をＩＰ電話Ａ１０１に対して送出する。ＩＰ電話Ａ１０１は、このｒｉｎｇｉｎｇ信号に応じて呼出音を鳴動させる。
【０１０２】
着信音に応じてＩＰ電話Ｂ１０２において受話器を上げるなどの動作等か検出されると、ＩＰ電話Ｂ１０２は、これに応じてＩＰ電話Ａ１０１に対してその旨を通知する。この通知と同時に、図１に示すＰＳＴＮ網を介してＩＰ電話Ａ１０１とＩＰ電話Ｂ１０２との間で通話可能状態となる。
【０１０３】
このようにＰＳＴＮ網を通話経路に用いて通話が行われる際には、まず、ＩＰ電話Ａ１０１からＥＮＵＭサーバ１０９にＮＡＰＴＲリソースレコードを問い合わせ、ＩＰ電話Ｂ１０２がＰＳＴＮ網による通話（ｔｅｌ）に対応可能である内容が記述されたＮＡＰＴＲリソースレコードを受信した場合には、直接、ＰＳＴＮ網を介してＩＰ電話Ｂ１０２に対してダイヤル呼び出しを行う。したがって、仮にＩＰ電話Ａ１０１において、宛先端末（ＩＰ電話Ｂ１０２）がＰＳＴＮ経由で通話を行う端末であると予め設定されていない場合においても、発呼の際にＣＡ１０６に対して所定信号（例えば、ＳＩＰにおける「ＩＮＶＩＴＥ」メッセージ）を送出する事態は確実に回避される。この結果、ＣＡ１０６の負荷を軽減することができる。
【０１０４】
次に、図８に沿ってＣＡを経由したＩＰ網を通話経路に用いて通話を行われる場合について説明する。
【０１０５】
図８に示すように、ＩＰ電話Ｂ１０２に発呼する際、ＩＰ電話Ａ１０１は、まず、オペレータからＩＰ電話Ｂ１０２の電話番号を受け付け、その電話番号に対応するＮＡＰＴＲリソースレコードをＥＮＵＭサーバ１０９に問い合わせる。ここでは、ＩＰ電話Ｂ１０２に対応するＮＡＰＴＲリソースレコードが登録されていないものとする。ＩＰ電話Ａ１０１から問い合わせを受けると、ＥＮＵＭサーバ１０９は、ＩＰ電話Ｂ１０２に対応するＮＡＰＴＲリソースレコードが存在しない内容の応答を送出する。
【０１０６】
ＮＡＰＴＲリソースレコードが存在しない内容の応答を受けると、ＩＰ電話Ａ１０１は、ＣＡ１０６に対して「ＩＮＶＩＴＥ」メッセージを送出する。ＣＡ１０６は、この「ＩＮＶＩＴＥ」メッセージをＣＡ１０８に送出すると共に、ＩＰ電話Ａ１０１に「１００ｔｒｙｉｎｇ」メッセージを送出する。同様に、ＣＡ１０８は、この「ＩＮＶＩＴＥ」メッセージをＩＰ電話Ｂ１０２に送出すると共に、ＣＡ１０６に「１００ｔｒｙｉｎｇ」メッセージを送出する。
【０１０７】
ＩＰ電話Ｂ１０２は、この「ＩＮＶＩＴＥ」メッセージを受け取ると、「１００ｔｒｙｉｎｇ」メッセージを送出した後、「１８０Ｒｉｎｇｉｎｇ」メッセージをＣＡ１０８に送出する。また、この「１８０Ｒｉｎｇｉｎｇ」メッセージを送出すると共に、着信音を鳴動させる。同様に、ＣＡ１０８は、この「１８０Ｒｉｎｇｉｎｇ」メッセージをＣＡ１０６に送出し、ＣＡ１０６は、この「１８０Ｒｉｎｇｉｎｇ」メッセージをＩＰ電話Ａ１０１に送出する。ＩＰ電話Ａ１０１では、この「１８０Ｒｉｎｇｉｎｇ」メッセージに応じて呼出音を鳴動させる。
【０１０８】
着信音に応じてＩＰ電話Ｂ１０２においてオフフック動作等が検出されると、ＩＰ電話Ｂ１０２は、これに応じてＣＡ１０８に対して接続許可を示す「２００ＯＫ」メッセージを送出する。同様に、ＣＡ１０８は、この「２００ＯＫ」メッセージをＣＡ１０６に送出し、ＣＡ１０６は、この「２００ＯＫ」メッセージをＩＰ電話Ａ１０１に送出する。
【０１０９】
この「２００ＯＫ」メッセージを受けると、ＩＰ電話Ａ１０１は、「ＡＣＫ」メッセージをＣＡ１０６に送出する。同様に、ＣＡ１０６は、この「ＡＣＫ」メッセージをＣＡ１０８に送出し、ＣＡ１０８は、この「ＡＣＫ」メッセージをＩＰ電話Ｂ１０２に送出する。ＩＰ電話Ｂ１０２がこの「ＡＣＫ」メッセージを受け取ると、ＩＰ網を介してＩＰ電話Ａ１０１とＩＰ電話Ｂ１０２との間で通話可能状態となる。
【０１１０】
このようにＩＰ網を通話経路に用いて通話が行われる際には、宛先端末のＮＡＰＴＲリソースレコードが登録されていない場合にＣＡ１０６及びＣＡ１０８で呼制御を行う。したがって、ＣＡ１０６及びＣＡ１０８による呼制御を宛先端末のＮＡＰＴＲリソースレコードが登録されていない場合に限定することができるので、ＣＡ１０６及びＣＡ１０８の負荷を軽減することができる。
【０１１１】
このように本実施の形態に係るＩＰ電話システムにおいては、ＩＰ電話Ａ１０１からＩＰ電話Ｂ１０２に発呼する際、まず、ＥＮＵＭサーバ１０９に対してＮＡＰＴＲリソースレコードを問い合わせる。そして、ＥＮＵＭサーバ１０９にＮＡＰＴＲリソースレコードが登録されている場合には、その登録内容に従ってＩＰ電話Ｂ１０２との間で直接呼制御を行った後にＥＮＵＭ網又はＰＳＴＮ網を介して音声通話が行われる一方、ＮＡＰＴＲリソースレコードが未登録の場合にはＣＡ１０６を介してＩＰ電話Ｂ１０２との間で呼制御を行った後にＩＰ網を介して音声通話が行われる。これにより、ＣＡ１０６により行われる呼制御が低減されると共に、ＣＡ１０６による呼制御を必要としない、ＩＰ網経由の音声通話が実現される。この結果、ＣＡ１０６の負荷を軽減しつつ、ＩＰ網を介した音声通話の処理量を大きくすることができる。また、ＥＮＵＭサーバ１０９は、それ自体で呼制御を行わず、ＮＡＰＴＲリソースレコードを返送するのみである。呼制御は、ＩＰ電話Ａ１０１とＩＰ電話Ｂ１０２との間で行われるので、ＣＡ１０６と比較して構築に要するコストを小さくすることができる。この結果、莫大なコストを必要としないでＩＰ電話システムの更なる普及を実現することができる。
【０１１２】
なお、本実施の形態においては、ＥＮＵＭ網を形成するＥＮＵＭサーバ１０９及びＥＮＵＭサーバ１１１をそれぞれプロバイダＡ１０３及びプロバイダＢ１０４が備える場合について説明している。しかし、ＥＮＵＭサーバ１０９等をネットワーク上に構築できるのであれば、必ずしもこれをプロバイダＡ１０３等が備える必要はない。すなわち、キャリアＡ１０５等がＥＮＵＭサーバ１０９等を備えるようにしてもよい。しかし、プロバイダＡ１０５等がＥＮＵＭサーバ１０９等を備えることは実施の形態として好ましい。現在、プロバイダは、キャリアが提供する設備等の貸与を受けてＩＰ電話システムを提供しているのが現状である。したがって、かかるＥＮＵＭサーバ１０９等を備え、ＩＰ電話システムを提供する場合には、設備等の貸与に要していた費用を削減することができる。このため、ＩＰ電話システムの普及という観点からみると、かかるＥＮＵＭサーバ１０９等をプロバイダＡ１０３等が備えた方がより迅速な対応が予想されるからである。
【０１１３】
また、上記の説明においては、本発明に係るＩＰ電話システムにおけるＣＡ１０６等がＶｏＩＰプロトコルとしてＳＩＰのみを実行する場合について説明しているが、これに限定されない。すなわち、ＶｏＩＰプロトコルとしてＨ．３２３を実行する場合についても適用することできる。
【０１１４】
なお、本実施の形態に係るＩＰ電話システムにおいて、音声とは人の話す声に限らず音一般、音声帯域に変調されたモデム信号、ＦＡＸ信号であっても構わない。また、電話機とはファクシミリ装置であっても構わない。
【０１１５】
また、以上の説明におけるＩＰ電話は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【産業上の利用可能性】
【０１１６】
本発明に係るＩＰ電話システム、ＩＰ電話装置及び通話方法によれば、ＩＰ網上に設置されたＣＡの負荷を軽減しつつ、莫大なコストを必要としないでＩＰ電話システムの更なる普及を実現することができ、より利便性に優れたＩＰ電話システムを提供できる点で有用である。
【図面の簡単な説明】
【０１１７】
【図１】本発明の一実施の形態に係るＩＰ電話システムが適用されるネットワークの構成を示す図
【図２】上記実施の形態に係るＩＰ電話システムを構成するＩＰ電話Ａの構成を示すブロック図
【図３】上記実施の形態に係るＩＰ電話システムを構成するＥＮＵＭサーバの構成を示すブロック図
【図４】上記実施の形態に係るＥＮＵＭサーバのＤＢに登録されたＮＡＰＴＲリソースレコードの一例を示す図
【図５】上記実施の形態に係るＩＰ電話システムにおいて、ＩＰ電話ＡからＩＰ電話Ｂに発呼を行う場合の動作を説明するためのフロー図
【図６】上記実施の形態に係るＩＰ電話システムにおいて、ＥＮＵＭ網を用いてＩＰ電話ＡとＩＰ電話Ｂとの間で通話する場合のシーケンスを示す図
【図７】上記実施の形態に係るＩＰ電話システムにおいて、ＰＳＴＮ網を用いてＩＰ電話ＡとＩＰ電話Ｂとの間で通話する場合のシーケンスを示す図
【図８】上記実施の形態に係るＩＰ電話システムにおいて、ＩＰ網を用いてＩＰ電話ＡとＩＰ電話Ｂとの間で通話する場合のシーケンスを示す図
【図９】従来のＩＰ電話を用いた場合に利用される通話の経路を示す図
【図１０】従来のＩＰ網を介して通話を行う場合のシーケンスを示す図
【符号の説明】
【０１１８】
１０１  ＩＰ電話装置Ａ（ＩＰ電話Ａ）
１０２  ＩＰ電話装置Ｂ（ＩＰ電話Ｂ）
１０６、１０８  ＣＡ
１０９、１１１  ＥＮＵＭサーバ
２０１  制御アダプタ
２０２  電話機
３０１  ＣＰＵ
３０２  メモリ
３０３  データベース（ＤＢ）
【図１】
2005303679.tif 000003
【図２】
2005303679.tif 000004
【図３】
2005303679.tif 000005
【図４】
2005303679.tif 000006
【図５】
2005303679.tif 000007
【図６】
2005303679.tif 000008
【図７】
2005303679.tif 000009
【図８】
2005303679.tif 000010
【図９】
2005303679.tif 000011
【図１０】
2005303679.tif 000012